(57)【要約】【課題】本発明は、操作環に適度なトルクを与えつつ、回動のトルクムラが発生し難く、操作環の操作感触が向上し、摺動による操作音を低減することができるレンズ鏡筒の提供を目的とする。【解決手段】固定筒１と、固定筒１に対して回動自在に且つ軸方向に移動不能に配置された操作環３と、固定筒１に保持された摺動環４とを備える。操作環３と摺動環４とは、それぞれ、互いに対向配置された対向面３５、４２を備えている。又、操作環３は、対向面３５に、周方向の３箇所に、摺動環４の対向面４２側に突出するように形成された略半球状の突片からなる摺動突部３４を備えている。【選択図】図２
2016142906.tif 000002
【特許請求の範囲】
【請求項１】
１又は複数のレンズ群を保持した固定筒と、前記固定筒に対して回動自在に配置され前記レンズ群を移動操作するための操作環と、前記固定筒に保持された摺動環とを備え、
前記操作環と前記摺動環とは、それぞれ、互いに軸方向で対向する対向部を備え、
前記操作環と前記摺動環との何れか一方の対向部は、少なくとも周方向の３箇所に、前記操作環の回動に際して前記何れか他方の対向部を摺動する摺動突部を備え、
前記各摺動突部は、前記他方の対向部側に突出するように形成されていることを特徴とするレンズ鏡胴。
【請求項２】
前記各摺動突部は、略半球状の突片であることを特徴とする請求項１記載のレンズ鏡胴。
【請求項３】
前記各摺動突部は、周方向に所定の長さで略円弧状に延された突条であることを特徴とする請求項１記載のレンズ鏡胴。
【請求項４】
前記固定筒は、前記固定筒に対する前記摺動環の回動を規制する回動規制部を備えていることを特徴とする請求項１〜３の何れか一項に記載のレンズ鏡胴。
【請求項５】
前記摺動環を前記操作環側に付勢する付勢部材と、前記付勢部材の付勢力を調整する調整部材とを、更に備えていることを特徴とする請求項１〜４の何れか一項に記載のレンズ鏡胴。
【請求項６】
前記付勢部材は、エラストマーからなる１又は複数の環状体からなることを特徴とする請求項５に記載のレンズ鏡胴。
【発明の詳細な説明】
【技術分野】
【０００１】
本発明は、レンズ鏡胴、より詳しくは、マニュアルフォーカスやズームの操作環を有するレンズ鏡筒に関するものである。
【背景技術】
【０００２】
近年、デジタルカメラのレンズ鏡胴、特にハイエンドクラスのレンズ鏡胴においてはユーザーからマニュアルフォーカスやズームなどの操作感触向上や静音性・適度なトルク感が強く求められることが多くなっている。
【０００３】
このようなレンズ鏡胴が、例えば特許文献１に開示されている。この特許文献１に開示されたレンズ鏡胴は、操作リング（操作環）とトルク調整環（摺動環）とが、それぞれ互いに面接触するように対向配置された対向面同士が付勢力を受けた状態とされ、操作リングが回動操作されることにより、操作リングの対向面がトルク調整環の対向面を摺動するように回動し、これにより、操作リングが適度なトルクを有するように形成されている。
【先行技術文献】
【特許文献】
【０００４】
【特許文献１】特開２０１２−２２２５３号公報
【発明の概要】
【発明が解決しようとする課題】
【０００５】
しかしながら、上記特許文献１では、操作リングの対向面とトルク調整環の対向面とが広い摺動面積を有する摩擦面にて摺動しながら回動するため、相接する２つの平面度により全周で面接触し難く、操作リングの回動位置によって付勢力が変化してしまい、その結果、操作リングの回動の際のトルクムラが発生してしまう。又、広い面で摺動するために面精度によっては操作音が大きくなり、あるいは感触そのものが悪化してしまう可能性がある。また、平面度及び面精度を向上するためには高度な加工が要求され、コストアップにつながってしまう。又、広面積で摺動するため付勢力や潤滑材によっては操作感触として不適切なスティックスリップ状態が発生してしまうことも考えられる。
【０００６】
本発明は、操作環の回動に際してトルクムラが発生し難く、操作環の操作感触が向上し、しかも、摺動による操作音を低減することができるレンズ鏡筒の提供を目的とする。
【課題を解決するための手段】
【０００７】
本発明の一態様に係るレンズ鏡胴は、１又は複数のレンズ群を保持した固定筒と、前記固定筒に対して回動自在に配置され前記レンズ群を移動操作するための操作環と、前記固定筒に保持された摺動環とを備え、前記操作環と前記摺動環とは、それぞれ、互いに軸方向で対向する対向部を備え、前記操作環と前記摺動環との何れか一方の対向部は、少なくとも周方向の３箇所に、前記操作環の回動に際して前記何れか他方の対向部を摺動する摺動突部を備え、前記各摺動突部は、前記他方の対向部側に突出するように形成されていることを特徴とする。
【０００８】
これによれば、操作環と摺動環との何れか一方の対向部は、少なくとも周方向の３箇所に、他方の対向部側に突出するように形成された摺動突部を備えているため、操作環がすべての回動位置で略一定のトルクがかかり、操作環が回動するに際してトルクムラが発生し難く、操作環の操作感触が向上する。又、操作環が摺動する際の操作音を低減することができる。
【０００９】
他の一態様では、前記レンズ鏡胴において、前記各摺動突部は、略半球状の突片であることを特徴とする。
【００１０】
これによれば、操作環と摺動環との接触面積を極力小さくでき、操作環の回動に伴う接触面積の変化が抑えられ、操作環が摺動する際の操作音を低減でき、又、スティックスリップの発生をより一層確実に抑えることができる。
【００１１】
他の一態様では、前記レンズ鏡胴において、前記各摺動突部は、周方向に所定の長さで略円弧状に延された突条であることを特徴とする。
【００１２】
これによれば、摺動突部が局所的な負荷がかかることを回避でき、長期使用でも摺動突部の変形が抑えられ、摺動突部の耐久性及び耐摩耗性を向上できる。
【００１３】
他の一態様では、前記レンズ鏡胴において、前記固定筒は、前記固定筒に対する前記摺動環の回動を規制する回動規制部を備えていることを特徴とする。
【００１４】
これによれば、摺動環の回動による音の発生を確実に防止できる。
【００１５】
他の一態様では、前記レンズ鏡胴において、前記摺動環を前記操作環側に付勢する付勢部材と、前記付勢部材の付勢力を調整する調整部材とを、更に備えていることを特徴とする。
【００１６】
これによれば、付勢部材によって操作環の光軸方向の遊び（ガタ）が低減され、又、調整部材によって操作環等に製作寸法のバラつきがある場合でも操作環が適度な設定トルクに調整される。
【００１７】
他の一態様では、前記レンズ鏡胴において、前記付勢部材は、エラストマーからなる１又は複数の環状体からなることを特徴とする。
【００１８】
これによれば、付勢部材によって操作環の全周に均一な付勢力が与えられ、操作環の局所的なトルクムラを、より一層に、低減できる。
【発明の効果】
【００１９】
本発明のレンズ鏡胴は、回動のトルクムラが発生し難く、操作環の操作感触が向上し、摺動による操作音を低減することができる。
【図面の簡単な説明】
【００２０】
【図１】本発明の一実施の形態のレンズ鏡胴の断面図である。
【図２】図１の要部の拡大断面図である。
【図３】図１のレンズ鏡胴の斜視図である。
【図４】図１のレンズ鏡胴の一部を省略した分解斜視図である。
【図５】図１のレンズ鏡胴に用いられる操作環の環状体の斜視図である。
【図６】他の実施形態の操作環の環状体の斜視図である。
【発明を実施するための形態】
【００２１】
以下、本発明の実施の形態について、図面を参照しながら詳細に説明する。図１は、本発明の一実施の形態のレンズ鏡胴の断面図、図２は、図１の要部の拡大断面図である。尚、図のＸ方向を対物側とし、図のＹ方向を像側として説明する。
【００２２】
この実施形態のレンズ鏡胴１００は、図１に示すように円筒状の固定筒１と、レンズ群２１〜２４と、操作環３と、摺動環４と、付勢部材５と、付勢力調整部材６とを備えている。
【００２３】
固定筒１は、円筒状の第１固定筒１０と、第１固定筒１０に連結された第２固定筒１１及び第３固定筒１２とを備えている。第１固定筒１０は、図１に示すように、外周に、後述の操作環３の被検知部３２を検知する検知部１０１を備えている。
【００２４】
この実施形態では、検知部１０１は、透過型のフォトセンサを備えており、操作環３の回動に伴いフォトセンサが後述の操作環３の被検知部３２の遮光及び透過を検知することにより操作環３の回動量及び回動方向を検知するようになっている。尚、この検知部１０１は、レンズ鏡胴１００に設けられた図示しない制御部に電気的に接続されている。
【００２５】
又、第１固定筒１０は、図４に示すように、外周に、第１固定筒１０に対する摺動環４の回動を規制する回動規制部１０２を備えている。この実施形態の回動規制部１０２は、第１固定筒１０の外周面から径方向外側に四角柱状に突設されている。
【００２６】
又、第１固定筒１０は、図１に示すように、軸方向における像側の端部に、連結ボルト（図示せず）によってマウント１３が連結されており、このマウント１３を介してレンズ鏡胴１００がカメラ本体１１０に着脱自在に取り付けられる。
【００２７】
第２固定筒１１は、略円筒状のもので、第１固定筒１０の内周に固定的に保持されている。
【００２８】
第３固定筒１２は、図２に示すように、光軸方向の像側の端面に、付勢部材５を押圧するための押圧部１２１を備えている。この実施形態の押圧部１２１は、第３固定筒１２の像側の端面全体に形成されている。そして、この第３固定筒１２は、第１固定筒１０の光軸方向における対物側の端部に固定的に保持されている。
【００２９】
レンズ群は、この実施形態では、図１に示すように対物側から像側に順に配置された第１レンズ群２１、第２レンズ群２２、第３レンズ群２３及び第４レンズ群２４からなる。
【００３０】
第１レンズ群２１、第２レンズ群２２及び第３レンズ群２３は、それぞれ、１又は複数のレンズから構成され、保持枠２１１、２２１、２３１を介して第２固定筒１１に移動不能に保持されている。
【００３１】
又、第３レンズ群２３を保持した保持枠２３１は、第４レンズ群２４を保持するレンズ保持部２３２を備えている。
【００３２】
第４レンズ群２４は、１又は複数のレンズから構成され、保持枠２４１を介してレンズ保持部２３２に光軸方向に移動可能に保持されている。又、第４レンズ群２４は、レンズ鏡胴１００に設けられた図示しない駆動用モータの作動によってレンズ保持部２３２に対して光軸方向に移動する。
【００３３】
操作環３は、図２、図５に示すように円筒状の操作環本体３０と、操作環本体３０の内周に配置された環状の環部３１を備えている。
【００３４】
環部３１は、この実施形態では、操作環本体３０と別体のものから構成され、操作環本体３０よりも軸方向の長さが短く、環部３１の外周が操作環本体３０の内周に固定的に取り付けられている。これにより、環部３１が操作環本体３０の内周の全周に亘って径方向内側に突出している。
【００３５】
又、環部３１は、径方向内側に被検知部３２を備えている。被検知部３２は、環部３１の周方向に沿って等間隔に、全周に亘って配置された複数の検知羽根３３を備えている。
【００３６】
各検知羽根３３は、検知部１０１に設けられた間隙１０１ａを通過可能な厚さからなり、環部３１の径方向内側に突出するように形成されている。
【００３７】
又、環部３１は、厚さ方向（軸方向）における対物側となる一方面が摺動環４と対向する対向面（対向部）３５をなしている。この実施形態では、環部３１は、この環部３１の対向面３５に、後述の摺動環４の対向部を摺動する少なくとも３つの摺動突部３４を備えている。
【００３８】
摺動突部３４は、この実施形態では、環部３１の周方向に沿って等間隔に配置された３つからなる。各摺動突部３４は、略半球状の突片からなる。
【００３９】
このように構成された操作環３は、図２に示すように環部３１の被検知部３２が検知部１０１に設けられた検知溝１０１ａに入れられるようにして、第１固定筒１０と第３固定筒１２とに、光軸回りに回動自在に保持されている。
【００４０】
摺動環４は、ポリアセタール樹脂製の環状の板状体からなる。この摺動環４は、厚さ方向（軸方向）の対物側となる一方面が付勢部材５に押圧される被押圧面４１をなし、厚さ方向の像側となる他方面が操作環３の対向面３５と対向する対向面（対向部）４２をなしている。この摺動環４の対向面４２は、この実施形態では、平面に形成されている。
【００４１】
又、摺動環４は、図４に示すように内周に、第１固定筒１０の回動規制部１０２に回動規制される被回動規制部４３を備えている。この実施形態の被回動規制部４３は、第１固定筒１０の回動規制部１０２に嵌り込む嵌挿凹部からなる。この被回動規制部４３は、回動規制部１０２が嵌り込み可能な大きさで、摺動環４の内周から径方向外側に凹まされている。尚、摺動環４は、ポリアセタール樹脂製のものからなるものに限らず、例えば合成樹脂製、又は金属製でもよく、適宜変更できる。ただし、ポリアセタール樹脂は摺動性がよく、摺動音の低減、スティックスリップ防止、更には、耐摩耗性の向上を図り得る点で好ましい。
【００４２】
このように形成された摺動環４は、図２に示すように対向面４２が操作環３の対向面３５と対向して摺動突部３４に当接するとともに、被回動規制部４３（図４参照）が第１固定筒１０の回動規制部１０２に嵌め入れられるように配置されている。
【００４３】
付勢部材５は、弾性体からなる。この実施形態では、付勢部材５は、エラストマーからなる１又は複数の板状の環状体から構成されている。そして、付勢部材５は、摺動環４の対物側に配置されて、摺動環４の被押圧面４１に当接している。そして、付勢部材５は、光軸方向における第３固定筒１２の押圧部１２１と摺動環４との間に配置されて光軸方向（厚さ方向）に圧縮変形されており、その復元力によって、付勢部材５は、摺動環４を操作環３側（Ｙ方向）に付勢している。
【００４４】
付勢力調整部材６は、１又は複数から構成される。付勢力調整部材６は、環状の板状体からなる。そして、付勢力調整部材６は、光軸方向における第３固定筒１０の押圧部１２１と付勢部材５との間に配置され、光軸方向における第３固定筒１０の押圧部１２１と摺動環４との距離Ｌを調整する。
【００４５】
例えば、付勢力調整部材６の厚さｔが大きくなっていくと、光軸方向における第３固定筒１０の押圧部１２１と摺動環４との距離Ｌがそれに比例して狭くなって付勢部材５の変形量が大きくなり、摺動環４を操作環３側に付勢する付勢部材５の付勢力が大きくなっていく。付勢部材５の付勢力が大きくなっていくと、摺動環４を摺動する操作環３の回動抵抗が大きくなっていく。
【００４６】
一方、付勢力調整部材６の厚さｔが小さくなっていくと、光軸方向における第３固定筒１０の押圧部１２１と摺動環４との距離Ｌが狭くなって付勢部材５の変形量が小さくなっていくと付勢部材５の付勢力が小さくなっていき、摺動環４を摺動する操作環３の回動抵抗が小さくなっていく。
【００４７】
このように、付勢力調整部材６によって操作環３の回動抵抗が調整されることにより、各部材の寸法が加工精度等によってばらつきがある場合でも、ほぼ一定の設定値に調整でき、操作環３が略一定のトルクで回動操作される。
【００４８】
次に、このレンズ鏡胴１００の動作について説明する。図１に示す状態から、操作環３が一方向側又は他方向側に回動される。その際、操作環３の３つの摺動突部３４が摺動環４の対向面４２を摺動するため、操作環３がすべての回動位置で略一定のトルクがかかり、トルクムラが発生し難く、操作環３の操作感触が良好になる。しかも、摺動突部３４が摺動環４の対向面４２と周方向においてその一部と当接して摺動するため、摺動による操作音を低減することができる。しかも、この実施形態では、摺動突部３４が半球状の突片からなるため、操作環３の回動に伴う接触面積の変化がより一層確実に抑えられ、トルクムラが、より一層、発生し難く、又、摺動による操作音を、より一層、低減することができる。
【００４９】
又、操作環３の回動に際し、摺動環４の被回動規制部４３が第１固定筒１０の回動規制部１０２に回動規制されて摺動環４が回動することがないため、摺動環４の回動による音の発生を確実に防止できる。
【００５０】
又、操作環３が回動すると、それに伴い操作環３の被検知部３２が回動する。そして、被検知部３２が回動すると、固定筒１の検知部１０１が被検知部３２の回動方向（一方向側又は他方向側）と回動量を検知し、制御部に送信する。受信した制御部は、受信した回動方向と回動量との情報に基づいて、図示しない駆動用モータを作動させ、第４レンズ群２４を光軸方向に移動させる。
【００５１】
以上のように構成されたレンズ鏡胴１００によれば、付勢部材５によって操作環３の光軸方向の遊び（ガタ）が低減され。又、調整部材６によって操作環３が適度なトルクに調整される。
【００５２】
又、付勢部材５は、１又は複数のエラストマーからなる環状体であるため、操作環３の全周に均一な付勢力を与えることができ、操作環３の局所的なトルクムラを、より一層、確実に低減できる。
【００５３】
尚、上記実施形態では、摺動突部３４は、操作環３の対向面３５に形成されたが、この形態のものに限らず、例えば摺動突部は、摺動環４の対向面４２に形成されてもよく、適宜変更できる。
【００５４】
又、上記実施形態では、各摺動突部は、略半球状の突片から構成されたが、この形態のものに限らず、適宜変更できる。例えば、図６に示すように摺動突部１３４は、周方向に所定の長さで延された略円弧状の突条から構成してもよい。このように構成することにより、摺動突部１３４が局所的な負荷がかかることを回避でき、耐久性及び耐摩耗性を向上できる。
【００５５】
又、摺動突部１３４が突条から構成される場合、操作環３の中心Ｏと各摺動突部１３４の長手方向の両端それぞれとを結ぶ２つの線のなす中心角αが６０°以下にしておくと、操作環３がすべての回動位置で略一定のトルクがかかり易くでき、トルクムラが発生し難く、操作環３の操作感触が良好になり、しかも、摺動による操作音を低減することができる点で好ましい。
【００５６】
又、摺動突部１３４が突条から構成される場合、その突出先端の形状は、特に限定されないが、図に示すように円弧状に形成しておけば、操作環３が略一定のトルクがよりかかり易く、トルクムラがより発生し難く、操作環３の操作感触がより良好になり、しかも、摺動による操作音をより低減することができる点で好ましい。
【００５７】
又、上記実施形態では、摺動突部は、３つから構成されたが、３つ以上であればよく、適宜変更できる。又、複数の摺動突部は、周方向で隣接する２つの間隔が同じになるように周方向に沿って配置される形態のものに限らず、周方向で隣接する２つの間隔が異なるように配置されてもよく、適宜変更できる。ただし、周方向で隣接する２つの間隔が同じになるように配置されると、各摺動突部に略均等に付勢力がかかり、操作環３がすべての回動位置で略一定のトルクが、より一層かかり易くでき、より一層、トルクムラが発生し難くなる点で好ましい。
【符号の説明】
【００５８】
１    レンズ鏡胴
３    操作環
４    摺動環
５    付勢部材
６    付勢力調整部材
３４、１３４    摺動突部
３５    操作環の対向面
４２    摺動環の対向面
【図１】
2016142906.tif 000003
【図２】
2016142906.tif 000004
【図３】
2016142906.tif 000005
【図４】
2016142906.tif 000006
【図５】
2016142906.tif 000007
【図６】
2016142906.tif 000008